(57)【特許請求の範囲】
【請求項１】
着脱可能な記録媒体に記録されたディジタルデータを再生するデータ再生装置において，
上記記録媒体に当該装置に関する装置情報を予め記録する装置情報記録手段と，
上記装置情報記録手段により記録された装置情報に基づいて他の装置により前記記録媒体に記録される情報であって，上記ディジタルデータを当該装置上で再生するのに必要な必要情報を，上記ディジタルデータが記録された上記記録媒体から取得する必要情報取得手段と，
上記必要情報取得手段により取得された必要情報に基づいて，上記ディジタルデータを再生するのに必要な環境を自動的に設定する自動設定手段とを具備してなることを特徴とするデータ再生装置。
【請求項２】
上記ディジタルデータを再生するための再生プログラムを１つ又は複数記憶する書き込み可能な記憶手段を備え，
上記装置情報記録手段が，当該装置の記憶手段に記憶された再生プログラムに関する情報を含む装置情報を上記記録媒体に記録し，
上記自動設定手段が，上記必要情報取得手段により取得された上記必要情報に基づいて，上記他の装置により上記記録媒体に記録された上記ディジタルデータに対応する再生プログラムを上記記憶手段に転送してなる請求項１に記載のデータ再生装置。
【請求項３】
上記記録媒体が装着されると，上記記録媒体の装着を検知して，装置の電源を投入し，上記装置情報記録手段，又は上記必要情報取得手段及び上記自動設定手段を起動してなる請求項１又は２に記載のデータ再生装置。
【請求項４】
上記装置情報が装置固有の固有情報を含むものであって，上記固有情報に基づいて上記ディジタルデータの再生について許可・制限を制御してなる請求項１〜３のいずれか１項に記載のデータ再生装置。
【請求項５】
上記記録媒体が半導体メディアである請求項１〜４のいずれか１項に記載のデータ再生装置。
【請求項６】
上記ディジタルデータが，音楽データ及び文字データのいずれか一方又は両方である請求項１〜５のいずれか１項に記載のデータ再生装置。
【請求項７】
ディジタルデータを再生するデータ再生装置から取り外された記録媒体に，使用者により指定されたディジタルデータを供給するデータ供給装置において，
上記記録媒体に予め記録された上記データ再生装置に関する装置情報を検知する装置情報検知手段と，
上記装置情報検知手段により検知された上記装置情報に基づいて，上記指定されたディジタルデータを当該データ再生装置上で再生するのに必要な必要情報を判別する必要情報判別手段と，
上記指定されたディジタルデータが供給される上記記録媒体に上記必要情報判別手段により判別された必要情報を記録する記録手段とを具備してなることを特徴とするデータ供給装置。
【請求項８】
上記記録媒体が装着されると，装着を検知して，装置の電源を投入し，上記装置情報検知手段，必要情報判別手段，及び記録手段を起動してなる請求項７に記載のデータ供給装置。
【請求項９】
上記ディジタルデータ及び装置情報が記録されていない上記記録媒体の空き領域を検出する空き領域検出手段と，上記空き領域検出手段により検出された上記空き領域に応じて，使用者に宛てたメッセージ情報を付加するメッセージ情報付加手段とを具備してなる請求項７又は８に記載のデータ供給装置。
【請求項１０】
上記記録媒体が半導体メディアである請求項７〜９のいずれか１項に記載のデータ供給装置。
【請求項１１】
上記ディジタルデータが，音楽データ及び文字データのいずれか一方又は両方である請求項７〜１０のいずれか１項に記載のデータ供給装置。
【請求項１２】
着脱可能な記録媒体に記録されたディジタルデータを再生するデータ再生装置と，使用者により指定されたディジタルデータを上記記録媒体に供給するデータ供給装置とを具備してなるデータ供給システムにおいて，
上記データ供給装置が，上記記録媒体に予め記録された上記データ再生装置に関する装置情報を検知する装置情報検知手段と，上記装置情報検知手段により検知された上記装置情報に基づいて，上記指定されたディジタルデータを当該データ再生装置上で再生するのに必要な必要情報を判別する必要情報判別手段と，上記指定されたディジタルデータが供給された上記記録媒体に上記必要情報判別手段により判別された必要情報を記録する記録手段とを具備し，
上記データ再生装置が，上記記録手段により記録された上記必要情報を上記記録媒体から取得する必要情報取得手段と，上記必要情報取得手段により取得された上記必要情報に基づいて，同じ記録媒体に供給された上記指定されたディジタルデータを再生するのに必要な環境を自動的に設定する自動設定手段とを具備してなることを特徴とするデータ供給システム。
【請求項１３】
上記データ再生装置が，上記記録媒体に供給されたディジタルデータを再生するための再生プログラムを１つ又は複数記憶する書き込み可能な記憶手段を備えるものであって，上記装置情報に当該データ再生装置の上記記憶手段に記憶された再生プログラムに関する情報が含まれ，
上記データ供給装置の上記必要情報判別手段が，上記記録媒体に記録された装置情報に基づいて，当該データ再生装置の上記記憶手段に，上記指定されたディジタルデータに対応する再生プログラムが記憶されているか否かを判別し，
上記必要情報判別手段により上記指定されたディジタルデータに対応する再生プログラムが当該データ再生装置の上記記憶手段に記憶されていないとの判別があった場合には，上記記録手段が，少なくとも上記指定されたディジタルデータに対応する再生プログラムを上記記録媒体に記録してなる請求項１２に記載のデータ供給システム。
【請求項１４】
上記データ再生装置に上記記録媒体が装着されると，当該データ再生装置が，上記記録媒体の装着を検知して電源を投入して，上記必要情報取得手段及び上記自動設定手段を起動し，上記必要情報取得手段により上記必要情報が上記記録媒体から取得されると，上記自動設定手段が，上記必要情報に基づいて，上記記録媒体に記録された再生プログラムを上記記憶手段に転送してなる請求項１３に記載のデータ供給システム。
【請求項１５】
上記装置情報が装置固有の固有情報を含むものであって，上記固有情報に基づいて上記データ再生装置による上記ディジタルデータの再生について許可・制限を制御してなる請求項１２〜１４のいずれか１項に記載のデータ供給システム。
【請求項１６】
上記データ供給装置に上記記録媒体が装着されると，上記データ供給装置が，装着を検知して電源を投入し，上記装置情報検知手段，上記必要情報判別手段，及び上記記録手段を起動してなる請求項１２〜１５のいずれか１項に記載のデータ供給システム。
【請求項１７】
上記データ供給装置が，上記ディジタルデータ及び装置情報が記録されていない上記記録媒体の空き領域を検出する空き領域検出手段と，上記空き領域検出手段により検出された上記空き領域に応じて，使用者に宛てたメッセージ情報を付加するメッセージ情報付加手段とを具備してなる請求項１２〜１６のいずれか１項に記載のデータ供給システム。
【請求項１８】
上記記録媒体が半導体メディアである請求項１２〜１７のいずれか１項に記載のデータ供給システム。
【請求項１９】
上記ディジタルデータが，音楽データ及び文字データのいずれか一方又は両方である請求項１２〜１８のいずれか１項に記載のデータ供給システム。
【発明の詳細な説明】
【０００１】
【発明の属する技術分野】
本発明は，データ再生装置，データ供給装置，およびデータ供給システムに係り，詳しくは，着脱可能な記録媒体に記録された例えば音楽，文字情報等のディジタルデータを再生したり，上記記録媒体へ上記ディジタルデータを供給するためのデータ再生装置，データ供給装置，およびデータ供給システムに関するものである。
【０００２】
【従来の技術】
近年の高能率符号化技術の進歩やインターネットの普及などに伴って，音楽や映像等のディジタルデータを，比較的低速な通信手段や小容量の記録メディアにより，供給者や利用者間で授受し得る環境が整いつつある。音楽や映像等をディジタルデータとして取り扱う場合，製品品質を保ちながら転送や複写等を行うことがアナログ信号の場合と比べて容易となるため，これまでＣＤやビデオテープ等について行われてきたパッケージ主体の販売形態やレンタル形態を変化させる可能性がある。例えば利用者が，自分の好みの複数のアーティストの楽曲が収められたパッケージが欲しいと思っても，パッケージを主体とした販売形態では，利用者が各アーティストの楽曲が収められたパッケージをそれぞれ購入或いはレンタルして，自分が聞くために所望する楽曲を所得し，別途用意したカセットテープやＭＤ等の記録メディアに記録するしかなかった。これに対し，特開平５−１３５２２８号公報などに記載の技術では，利用者が，自分の所望する楽曲を指定すれば，その所望する楽曲に対応するディジタルデータのみを電気信号の形態のまま購入し受け取ることが可能である。
上記公報に記載の技術では，利用者は，音楽再生器として，携帯可能な再生機能付きメモリカードを用いる。音楽などのディジタルデータは，情報サーバの役割を果たす端末装置から上記再生機能付メモリカードに提供される。上記端末装置は，タバコやジュースなどの自動販売機に相当するものであり，内蔵するハードディスクなどに上記ディジタルデータが蓄積されている。また，販売元とはディジタル通信回線にて接続されており，必要に応じてディジタルデータを補充することが可能である。
利用者がディジタルデータの提供を受けようとするときには，上記再生機能付メモリカードをコネクタを介して上記端末装置に接続する。上記端末装置では，ディジタルデータのジャンルとコンテンツ名が階層的に表示されるので，利用者は，自分が希望するコンテンツをその表示内容を基に選択することになる。
利用者によってコンテンツ名が指定されると，端末装置のハードディスクに当該コンテンツが蓄積されている場合には，上記ハードディスクからバス，コネクタを介して，指定されたコンテンツのみが上記再生機能付メモリカードに転送される。また，端末装置に当該コンテンツが蓄積されていなければ，通信回線を通じて販売元から端末装置に当該コンテンツが転送されてから，上記再生機能付メモリカードに提供される。
ところで，上記例のようにディジタルデータを電気信号の形態のまま販売するときに特に問題となるのが，コンテンツに対する不正複写を防止することである。ディジタルデータは複写によっても信号劣化を生じないから，不正複写を防止しなければ，提供するコンテンツの価値が相対的に低下することになる。もちろん，コンテンツを提供する提供者も，自己の著作権が十分に保護されなければ，そのような販売システムにコンテンツを提供することは実質できない。
そこで，上記公報に記載の技術では，ディジタル信号の再生を行うときに，利用者にパスワードを要求することにしている。このパスワードは，上記再生機能付メモリカード購入時に利用者に知らされるものである。利用者が入力したパスワードと上記再生機能付メモリカードに登録されているパスワードが一致しなければ，ディジタルデータの再生は行われない。
また，特開平８−１８１９６５号公報では，衛星回線やＣＡＴＶなどを通信回線に用いて電子データのレンタルを行う電子レンタルシステムが記載されている。この電子レンタルシステムでも，パッケージを主体としたレンタルを行わず，電子データのみがレンタルされるが，この場合，不正複写を防止するのに加えて，レンタル期間を規定する必要も生じる。上記電子レンタルシステムでは，公開鍵を用いて，不正複写やレンタル期間の監視が行われている。
【０００３】
【発明が解決しようとする課題】
上記した特開平５−１３５２２８号公報に記載の技術では，上記再生機能付メモリカードにてディジタルデータを再生する場合には，電源投入，再生操作，パスワード入力等の多くの手順を踏まなければならず，わずらわしい面があった。また，音楽や映像等を圧縮符号化するには色々な方式が存在しているが，仮に複数の圧縮符号化方式に上記再生機能付メモリカードが対応していたとしても，その方式を利用者が強く意識することなく再生操作を行わせる自動的な処理を十分に行うことができなかった。
また，上記再生機能付メモリカードにディジタルデータを記録した場合に，空き領域が生じても，その空き領域は有効に活用されていなかった。
また，上記電子レンタルシステムのように，衛星回線やＣＡＴＶなどの通信回線を用いて電子データの授受を行う場合，データ通信装置，端末装置，衛星放送チューナなど多くの設備が利用者側に必要となり，導入コストが高くついてしまう問題があった。
本発明は，このような従来の技術における課題を解決するために，データ再生装置，データ供給装置，及びデータ供給システムを改良し，圧縮符号化方式や不正複写防止のための暗号等を利用者が強く意識することなく自動的にそのための手順を実行しディジタルデータを再生したり供給したりする，安価に利用可能なデータ再生装置，データ供給装置，及びデータ供給システムを提供することを目的とするものである。
【０００４】
【課題を解決するための手段】
上記目的を達成するために，請求項１に係る発明は，着脱可能な記録媒体に記録されたディジタルデータを再生するデータ再生装置において，上記記録媒体に当該装置に関する装置情報を予め記録する装置情報記録手段と，上記装置情報記録手段により記録された装置情報に基づいて他の装置により前記記録媒体に記録される情報であって，上記ディジタルデータを当該装置上で再生するのに必要な必要情報を，上記ディジタルデータが記録された上記記録媒体から取得する必要情報取得手段と，上記必要情報取得手段により取得された必要情報に基づいて，上記ディジタルデータを再生するのに必要な環境を自動的に設定する自動設定手段とを具備してなることを特徴とするデータ再生装置として構成されている。
また，請求項２に係る発明は，上記請求項１に記載のデータ再生装置において，上記ディジタルデータを再生するための再生プログラムを１つ又は複数記憶する書き込み可能な記憶手段を備え，上記装置情報記録手段が，当該装置の記憶手段に記憶された再生プログラムに関する情報を含む装置情報を上記記録媒体に記録し，上記自動設定手段が，上記必要情報取得手段により取得された上記必要情報に基づいて，上記他の装置により上記記録媒体に記録された上記ディジタルデータに対応する再生プログラムを転送してなることをその要旨とする。
【０００５】
また，請求項３に係る発明は，上記請求項１又は２に記載のデータ再生装置において，上記記録媒体が装着されると，上記記録媒体の装着を検知して，装置の電源を投入し，上記装置情報記録手段，又は上記必要情報取得手段及び上記自動設定手段を起動してなることをその要旨とする。
また，請求項４に係る発明は，上記請求項１〜３のいずれか１項に記載のデータ再生装置において，上記装置情報が装置固有の固有情報を含むものであって，上記固有情報に基づいて上記ディジタルデータの再生について許可・制限を制御してなることをその要旨とする。
また，請求項５に係る発明は，上記請求項１〜４のいずれか１項に記載のデータ再生装置において，上記記録媒体が半導体メディアであることをその要旨とする。
また，請求項６に係る発明は，上記請求項１〜５のいずれか１項に記載のデータ再生装置において，上記ディジタルデータが，音楽データ及び文字データのいずれか一方又は両方であることをその要旨とする。
【０００６】
上記請求項１〜６のいずれか１項に記載のデータ再生装置によれば，例えば音楽データや文字データなどのディジタルデータを記録するための半導体メディアなどの記録媒体に，予め当該装置の固有情報や，保持されている再生プログラムの種類等を含む装置情報が書き込まれ，実際に上記ディジタルデータを再生するときには，上記記録媒体にディジタルデータが供給される際に上記装置情報に基づいて定められた必要情報が取得され，取得された装置情報に基づいて上記ディジタルデータを再生するのに必要な環境が自動的に設定されるため，利用者が圧縮符号化方式や不正複写防止のための暗号等を強く意識することなく上記ディジタルデータを再生することができる安価なデータ再生装置を提供することができる。
【０００７】
また，請求項７に係る発明は，ディジタルデータを再生するデータ再生装置から取り外された記録媒体に，使用者により指定されたディジタルデータを供給するデータ供給装置において，上記記録媒体に予め記録された上記データ再生装置に関する装置情報を検知する装置情報検知手段と，上記装置情報検知手段により検知された上記装置情報に基づいて，上記指定されたディジタルデータを当該データ再生装置上で再生するのに必要な必要情報を判別する必要情報判別手段と，上記指定されたディジタルデータが供給される上記記録媒体に上記必要情報判別手段により判別された必要情報を記録する記録手段とを具備してなることを特徴とするデータ供給装置として構成されている。
また，請求項８に係る発明は，上記請求項７に記載のデータ供給装置において，上記記録媒体が装着されると，装着を検知して，装置の電源を投入し，上記装置情報検知手段，必要情報判別手段，及び記録手段を起動してなることをその要旨とする。
【０００８】
また，請求項９に係る発明は，上記請求項７又は８に記載のデータ供給装置において，上記ディジタルデータ及び装置情報が記録されていない上記記録媒体の空き領域を検出する空き領域検出手段と，上記空き領域検出手段により検出された上記空き領域に応じて，使用者に宛てたメッセージ情報を付加するメッセージ情報付加手段とを具備してなることをその要旨とする。
また，請求項１０に係る発明は，上記請求項７〜９のいずれか１項に記載のデータ供給装置において，上記記録媒体が半導体メディアであることをその要旨とする。
また，請求項１１に係る発明は，上記請求項７〜１０のいずれか１項に記載のデータ供給装置において，上記ディジタルデータが，音楽データ及び文字データのいずれか一方又は両方であることをその要旨とする。
【０００９】
上記請求項７〜１１のいずれか１項に記載のデータ供給装置によれば，例えば音楽データや文字データなどのディジタルデータを半導体メディアなどの記録媒体に記録する場合に，当該記録媒体に予め記録されているデータ再生装置に関する装置情報が検知され，前記検知された装置情報に基づいて，使用者により指定されたディジタルデータを当該データ再生装置上で再生するのに必要な必要情報が判別され，上記判別された必要情報が上記ディジタルデータとともに当該記録媒体に記録されるため，使用者が，圧縮符号化方式や不正複写防止のための暗号等を強く意識することなく上記ディジタルデータの供給を受けることができるデータ供給装置を提供することができる。
【００１０】
また，請求項１２に係る発明は，着脱可能な記録媒体に記録されたディジタルデータを再生するデータ再生装置と，使用者により指定されたディジタルデータを上記記録媒体に供給するデータ供給装置とを具備してなるデータ供給システムにおいて，上記データ供給装置が，上記記録媒体に予め記録された上記データ再生装置に関する装置情報を検知する装置情報検知手段と，上記装置情報検知手段により検知された上記装置情報に基づいて，上記指定されたディジタルデータを当該データ再生装置上で再生するのに必要な必要情報を判別する必要情報判別手段と，上記指定されたディジタルデータが供給された上記記録媒体に上記必要情報判別手段により判別された必要情報を記録する記録手段とを具備し，上記データ再生装置が，上記記録手段により記録された上記必要情報を上記記録媒体から取得する必要情報取得手段と，上記必要情報取得手段により取得された上記必要情報に基づいて，同じ記録媒体に供給された上記指定されたディジタルデータを再生するのに必要な環境を自動的に設定する自動設定手段とを具備してなることを特徴とするデータ供給システムとして構成されている。
【００１１】
また，請求項１３に係る発明は，上記請求項１２に記載のデータ供給システムにおいて，上記データ再生装置が，上記記録媒体に供給されたディジタルデータを再生するための再生プログラムを１つ又は複数記憶する書き込み可能な記憶手段を備えるものであって，上記装置情報に当該データ再生装置の上記記憶手段に記憶された再生プログラムに関する情報が含まれ，上記データ供給装置の上記必要情報判別手段が，上記記録媒体に記録された装置情報に基づいて，当該データ再生装置の上記記憶手段に，上記指定されたディジタルデータに対応する再生プログラムが記憶されているか否かを判別し，上記必要情報判別手段により上記指定されたディジタルデータに対応する再生プログラムが当該データ再生装置の上記記憶手段に記憶されていないとの判別があった場合には，上記記録手段が，少なくとも上記指定されたディジタルデータに対応する再生プログラムを上記記録媒体に記録してなることをその要旨とする。
【００１２】
また，請求項１４に係る発明は，上記請求項１３に記載のデータ供給システムにおいて，上記データ再生装置に上記記録媒体が装着されると，当該データ再生装置が，上記記録媒体の装着を検知して電源を投入して，上記必要情報取得手段及び上記自動設定手段を起動し，上記必要情報取得手段により上記必要情報が上記記録媒体から取得されると，上記自動設定手段が，上記必要情報に基づいて，上記記録媒体に記録された再生プログラムを上記記憶手段に転送してなることをその要旨とする。
また，請求項１５に係る発明は，上記請求項１２〜１４のいずれか１項に記載のデータ供給システムにおいて，上記装置情報が装置固有の固有情報を含むものであって，上記固有情報に基づいて上記データ再生装置による上記ディジタルデータの再生について許可・制限を制御してなることをその要旨とする。
また，請求項１６に係る発明は，上記請求項１２〜１５のいずれか１項に記載のデータ供給システムにおいて，上記データ供給装置に上記記録媒体が装着されると，上記データ供給装置が，装着を検知して電源を投入し，上記装置情報検知手段，上記必要情報判別手段，及び上記記録手段を起動してなることをその要旨とする。
また，請求項１７に係る発明は，上記請求項１２〜１６のいずれか１項に記載のデータ供給システムにおいて，上記データ供給装置が，上記ディジタルデータ及び装置情報が記録されていない上記記録媒体の空き領域を検出する空き領域検出手段と，上記空き領域検出手段により検出された上記空き領域に応じて，使用者に宛てたメッセージ情報を付加するメッセージ情報付加手段とを具備してなることをその要旨とする。
また，請求項１８に係る発明は，上記請求項１２〜１７のいずれか１項に記載のデータ供給システムにおいて，上記記録媒体が半導体メディアであることをその要旨とする。
また，請求項１９に係る発明は，上記請求項１２〜１８のいずれか１項に記載のデータ供給システムにおいて，上記ディジタルデータが，音楽データ及び文字データのいずれか一方又は両方であることをその要旨とする。
【００１３】
上記請求項１２〜１９のいずれか１項に記載のデータ供給装置によれば，例えば音楽データや文字データなどのディジタルデータを半導体メディアなどの記録媒体を介してデータ供給装置からデータ再生装置に供給する場合に，まず上記データ再生装置側で当該装置に関する装置情報が上記記録媒体に記録され，次に上記データ供給装置側で当該記録媒体に記録されている装置情報が検知され，続いて上記検知された装置情報に基づいて，使用者により指定されたディジタルデータを当該データ再生装置上で再生するのに必要な必要情報が判別された後，上記判別された必要情報が上記ディジタルデータとともに当該記録媒体に記録され，次に上記データ再生装置において，当該記録媒体に記録された必要情報が取得され，上記取得された必要情報に基づいて，上記ディジタルデータを再生するのに必要が環境が自動的に設定されるため，使用者が，圧縮符号化方式や不正複写防止のための暗号等を強く意識することなく上記ディジタルデータの供給を受けることが可能で，安価に利用可能なデータ供給システムを提供することができる。
【００１４】
【発明の実施の形態】
以下，添付図面を参照して，本発明の実施の形態につき説明し，本発明の理解に供する。尚，以下の実施の形態は，本発明の具体的な一例であって，本発明の技術的範囲を限定する性格のものではない。
本発明の一実施の形態に係るデータ供給システムは，データ再生装置と，データ供給装置とを含む。
上記データ再生装置は，例えば着脱可能な半導体メディアに記録された音楽ディジタルデータを再生する，携帯を目的とした小型のデータ再生装置として具体化される。
一方，上記データ供給装置は，音楽ディジタルデータを再生する上記データ再生装置から取り外された上記半導体メディアに，使用者により指定された音楽ディジタルデータを供給するデータ供給装置として具体化されるものであって，例えば飲料水の自動販売機に組み込まれた状態で設置されたり，コンビニエンスストアや鉄道駅等に専用の販売機として設置されたりするものである。
図１に示すのは，上記データ再生装置の概略構成である。
上記データ再生装置Ｐは，装置全体を制御するマイコン１１，半導体メディア（記録媒体の一例）Ｍが装着されるコネクタ１２，上記半導体メディアＭに記録された音楽ディジタルデータを再生するための再生プログラムが記憶されるプログラムメモリ（記憶手段の一例）１３，上記マイコン１１からの指令信号に従って，上記プログラムメモリ１３から再生プログラムを読み出し上記音楽ディジタルデータを再生するＤＳＰ１４，上記ＤＳＰ１４により再生された音楽ディジタルデータを音響出力するための，ＤＡＣ１５，アンプ１６，イヤホン１７を含む。
本発明のデータ再生装置は，上記半導体メディアＭに当該装置に関する装置情報を予め記録する装置情報記録手段と，上記装置情報記録手段により記録された装置情報に基づくものであって，上記音楽ディジタルデータを当該装置上で再生するのに必要な必要情報を，上記音楽ディジタルデータが記録された上記半導体メディアＭから取得する必要情報取得手段と，上記必要情報取得手段により取得された必要情報に基づいて，上記音楽ディジタルデータを再生するのに必要な環境を自動的に設定する自動設定手段とを機能として具備するが，これらの機能は，上記マイコン１１により実現される。
【００１５】
また，図２に上記データ供給装置の概略構成を示す。
図２に示す如く，上記データ供給装置Ｓは，装置全体を制御するマイコン２１，上記半導体メディアＭが装着されるコネクタ２２，複数の圧縮符号化プログラム及び音楽ディジタルデータが蓄積される蓄積手段２３等を含む。
本発明のデータ供給装置は，上記半導体メディアＭに予め記録された上記データ再生装置に関する装置情報を検知する装置情報検知手段と，上記装置情報検知手段により検知された上記装置情報に基づいて，使用者により指定された音楽ディジタルデータを当該データ再生装置上で再生するのに必要な必要情報を判別する必要情報判別手段と，上記指定されたディジタルデータが供給される上記記録媒体に上記必要情報判別手段により判別された必要情報を記録する記録手段とを機能として具備するが，これらの機能は，上記マイコン２１により実現される。
上記データ供給システムでは，使用者は，上記データ再生装置Ｐにてフォーマットした半導体メディアＭを，上記データ供給装置Ｓに装着して，音楽ディジタルデータを購入したり，レンタルしたりすることになるが，不正な音楽ディジタルデータの利用を防止し，また使用者に利便性を提供することが重要となる。
【００１６】
以下，上記データ再生装置Ｐ，上記データ供給装置Ｓ，及び両者を備えたデータ供給システムの詳細について説明する。
上記データ供給システムにおいて，上記データ供給装置Ｓにより音楽ディジタルデータが供給されるのは，使用者が所有する上記データ再生装置Ｐにより予めフォーマットされた半導体メディアＭのみである。
上記データ再生装置Ｐによるフォーマットは，使用者により上記データ再生装置Ｐのスイッチ１８が押圧された場合に開始される他，上記半導体メディアＭが装着されたことを検知して自動的に開始させることもできる。
上記データ再生装置Ｐの筐体に形成された上記半導体メディアＭの挿入口の構成例を図３に示す。
図３に示す如く，上記データ再生装置Ｐの筐体には，上記半導体メディアＭの挿入口１２１が直方体状に形成される。上記挿入口１２１の最深部には，上記コネクタ１２が設けられる（図３には不図示）。上記挿入口１２１を構成するガイド１２２に沿って，上記半導体メディアＭが上記挿入口１２１に挿入されると，上記半導体メディアＭと上記コネクタ１２が適宜接続される。上記挿入口１２１の深部には，上記コネクタ１２の他に，一対の電極１２３が設けられている。これらの電極１２３は上記マイコン１１に接続されるものである。上記電極１２３のうち図面下側の電極１２３ｂは，上記半導体メディアＭが挿入されると，図面上方に押し上げられ，その先端付近に設けられた凸部１２４が図面上側の電極１２３ａに接触する。
【００１７】
ここで，図４に上記電極とマイコンを接続する接続回路の構成例を示す。また，図５は上記図４におけるＡ点の電圧遷移を示す図である。
図４のスイッチＳｗ１が，上記一対の電極１２３に対応する。上記半導体メディアＭが挿入されていないときには，上記スイッチＳｗ１は開いている。このとき，図４に示すＡ点の電位は，図５に示す如く，バッテリ電圧Ｖbat である。上記半導体メディアＭが挿入されると，上記スイッチＳｗ１は閉じられる。上記スイッチＳｗ１が閉じられると，一旦上記Ａ点の電位は急激に低下する。低下した上記Ａ点の電位は，コンデンサＣ１が充電されるに連れて徐々に上昇し，やがて上記バッテリ電圧Ｖbat が抵抗Ｒ１と抵抗Ｒ２にて分圧された値に達する。このように一旦電位を急激に低下させることにより形成されたパルスは，インバートＡＮＤ回路４１に入力される。インバートＡＮＤ回路４１に上記パルスが入力されると，電源監視用のＲＳラッチ４２がセットされる。前記ＲＳラッチ４２がセットされると，電源変換器４３に作動指令が送出される。これにより，回路全体への電源供給が開始され，上記マイコン１１にも電圧Ｖccの電源が供給される。
尚，図４の回路例では，筐体に設けられるスイッチ１８が使用者により押圧されるなどしてスイッチ入力があった場合と，上記半導体メディアＭの装着があった場合とをマイコン１１に判別させることができる。このために，図４の回路例では，上記Ａ点とマイコン１１との間にＲＳラッチ４４が接続されている。上記半導体メディアＭの装着によりスイッチＳｗ１がオンされた場合，上記Ａ点に生じるパルスによって上記ＲＳラッチ４２がセットされる他，上記ＲＳラッチ４４もセットされる。上記ＲＳラッチ４４がセットされると，上記マイコン１１のＩ／Ｏ入力にパルスが入力される。一方，上記スイッチ１８等によるスイッチ入力があった場合，上記インバートＡＮＤ回路４１にパルスが入力されて，上記ＲＳラッチ４２はセットされるが，上記ＲＳラッチ４４はセットされない。即ち，上記マイコン１１のＩ／Ｏ入力にパルス入力があった場合に，上記半導体メディアＭの装着により上記ＲＳラッチ４２がセットされたと判別することが可能である。
【００１８】
上記マイコン１１が起動されると，そのとき上記半導体メディアＭが上記挿入口１２１に挿入されているか否かの判別が行われる。上記スイッチ１８等によるスイッチ入力によって上記ＲＳラッチ４２がセットされたときなどは，使用者が上記半導体メディアＭを装着していない場合も考えられるので，この判別は必要である。上記判別は，例えば上記Ａ点の電圧が電源電圧Ｖccであるか否かに基づいて行われる。上記Ａ点の電圧が上記電源電圧Ｖccである場合，上記スイッチＳｗ１がオフされており，上記半導体メディアＭが挿入されていないと判別される。一方，上記Ａ点の電圧が上記電源電圧Ｖccでない場合，上記スイッチＳｗ１はオンされており，上記半導体メディアＭも挿入されていると判別される。
上記半導体メディアＭが上記挿入口１２１に挿入されていれば，上記半導体メディアＭが既にフォーマットされているか否かの判別が行われる。いま，上記半導体メディアＭが未使用のものであるとすると，上記マイコン１１により上記半導体メディアＭのフォーマットが自動的に開始される。尚，使用者がスイッチを押圧するなどしてフォーマットを指示することも可能である。
【００１９】
上記マイコン１１は，上記半導体メディアＭのフォーマットを行う他，上記半導体メディアＭに，当該データ再生装置Ｐの固有情報（ＩＤ）等の装置情報を記録する。この装置情報は，上記ＩＤの他，当該データ再生装置Ｐのリソース（ＣＰＵ，最大クロック，搭載メモリ，保有する再生プログラム，再生プログラムの使用頻度，公開鍵等）に関する情報を含む。上記ＩＤは，例えば製造された全ての上記データ再生装置Ｐに対して順次与えられたシリアル番号などである。上記ＩＤは，この他，各データ再生装置Ｐを一意に決定できる符号，数等であればよい。上記保有する再生プログラムは，上記データ再生装置Ｐが備える上記プログラムメモリ１３に記憶されている再生プログラムの種類等をいうものである。上記プログラムメモリ１３に記憶される再生プログラムは，例えばＮＴＴサイバースペース研究所（旧ＮＴＴヒューマンインターフェース研究所）により開発されたTwinVQなどの圧縮符号化形式に対応した復号化プログラムである。上記再生プログラムの種類には，上記圧縮符号化形式が相違するものの他，サンプリング周波数が相違するものも含む。例えばサンプリング周波数が４４ｋＨｚの再生プログラムと，サンプリング周波数が２２ｋＨｚの再生プログラムとは別の種類として扱われるものとする。上記再生プログラムの使用頻度は，上記プログラムメモリ１３に記憶されている各再生プログラムの使用頻度をいうものである。また，上記公開鍵に対応する秘密鍵は当該装置一台にのみ記録される。上記秘密鍵はデータとして保持されるよりも，ハードウェア的に記録されていることが好ましい。
尚，上記のような装置情報のマイコン１１による記録処理が，本発明のデータ再生装置における装置情報記録手段に対応するものである。
【００２０】
上記半導体メディアＭのフォーマットが完了すると，上記データ再生装置ＰのＬＣＤ１９に表示させるなどして，使用者にその旨が知らされる。
使用者は，自身の所有するデータ再生装置Ｐを用いて，上記のようにしてフォーマットされた上記半導体メディアＭを，上記データ供給装置Ｓに装着することにより，上記データ供給装置Ｓから音楽ディジタルデータの供給を受けることができる。
ここで，図６に上記データ供給装置によるデータ供給から上記データ再生装置によるデータ再生までの流れを簡単に示す。
上記データ供給装置Ｓに，フォーマット済の上記半導体メディアＭが装着されると，上記データ再生装置Ｐと同様の機構により，その装着が検知される。
上記半導体メディアＭの装着が検知されると，上記データ供給装置Ｓのマイコン２１が起動される。上記マイコン２１が起動されると，上記半導体メディアＭに記録されているはずの装置情報（公開鍵を含む）が上記コネクタ２２を介して読み出される（Ｓ６０１）。もし，フォーマットされていない上記半導体メディアＭが装着された場合には，その旨が上記データ供給装置ＳのＬＣＤ２４に表示され，データ供給処理は中止される。
尚，上記マイコン２１による上記装置情報の読み出し処理が，本発明におけるデータ供給装置の装置情報検知手段に対応するものである。
一方，上記半導体メディアＭに記録されている上記装置情報が上記マイコン２１に読み出されると，上記ＬＣＤ２４に，上記データ供給装置Ｓの蓄積手段２３に記録されている音楽ディジタルデータのコンテンツ名が表示される。このとき，コンテンツ名の他，当該コンテンツが圧縮符号化された方式や，サンプリング周波数に応じた音質情報等も上記ＬＣＤ２４に表示される。これらの情報は，一括して表示される必要は必ずしもなく，コンテンツ名だけをまず表示しておき，コンテンツ名が選択された後に，上記音質情報等を表示するようにしてもよい。また，上記圧縮符号化方式や，ジャンル等により分類した状態で上記コンテンツ名を表示するようしてもよい。上記圧縮符号化方式には，既述のTwinVQや，その他ＭＰ３，ＡＴＲＡＣ等の各種方式を用いることができる。上記音質情報については，サンプリング周波数を直接表示させるようにしてもよいが，使用者の理解を促進するために，ＣＤクオリティー，ＦＭクオリティー等の表示を行ってもよい。尚，上記蓄積手段２３に記録されている音楽ディジタルデータは，単に線形ＰＣＭ符号化が行われたものでもよいし，既に所定の圧縮符号化形式により圧縮符号化されたものを用いてもよい。上記音楽ディジタルデータが上記蓄積手段２３に線形ＰＣＭ符号化等の形式で記録されている場合には，上記データ再生装置Ｐに当該音楽ディジタルデータを提供する際に，図示しないＤＳＰを用いて圧縮符号化の処理が行われる。一方，上記音楽ディジタルデータが予め圧縮符号化された状態で上記蓄積手段２３に記録される場合には，提供可能な圧縮符号化形式の種類に応じた数だけ，同じ音楽ディジタルデータを上記蓄積手段２３に用意しておく必要がある。
【００２１】
また，上記データ供給装置Ｓの蓄積手段２３に記録されている音楽ディジタルデータやその圧縮符号化方式，音質情報等を全て上記ＬＣＤ２４に表示しても構わないが，データ再生装置Ｐによって利用できないものも含まれている。そこで，上記半導体メディアＭに記録され上記マイコン２１により検知された装置情報に基づいて，上記マイコン２１が利用可能な音楽ディジタルデータ，圧縮符号化方式，音質情報等を判別し，上記ＬＣＤ２４に表示するようにしてもよい。上記データ再生装置Ｐが，例えばリソースの関係から比較的高いサンプリング周波数での再生を行うことができないということが，上記装置情報に基づいて上記マイコン２１により判別された場合には，当該データ再生装置Ｐが再生可能な音質情報等のみを表示するようにする。
使用者は，このようにして上記ＬＣＤ２４に表示されたこれらの情報を基に，希望する音楽ディジタルデータのコンテンツ名や，圧縮符号化形式，音質情報等の選択を行う。使用者がボタンスイッチ２５を押圧する等して選択した上記コンテンツ名や，圧縮符号化形式，音質情報等の情報は，上記マイコン２１に送出される。
上記コンテンツ名等の情報が，上記マイコン２１に供給されると，指定されたサンプリング周波数の圧縮符号化形式に対応した再生プログラムが，当該半導体メディアＭをフォーマットしたデータ再生装置Ｐのプログラムメモリ１３に記録されているか否かが，上記装置情報に含まれる保有する再生プログラムに基づいて判別される。
当該半導体メディアＭをフォーマットしたデータ再生装置Ｐのプログラムメモリ１３に，使用者が指定したサンプリング周波数の圧縮符号化形式に対応した再生プログラムが記録されていると上記マイコン２１により判別された場合には，使用者により指定されたコンテンツ名，圧縮符号化方式，音質情報等に対応した音楽ディジタルデータが上記蓄積手段２３から読み出される。
【００２２】
上記蓄積手段２３から音楽ディジタルデータが読み出されると，上記マイコン２１では，当該音楽ディジタルデータやその再生に必要な必要情報が例えば上記装置情報に含まれる公開鍵を用いて施錠された状態で，上記半導体メディアＭに記録される（Ｓ６０２）。上記再生に必要な必要情報には，上記圧縮符号化方式の種類や，音質情報等の他，当該音楽ディジタルデータが利用可能な期間などのデータも含まれる。上記期間を日数で表したとき，レンタルであれば，当該音楽ディジタルデータが記録された時刻と，その利用可能な日数が上記半導体メディアＭに記録される。また，当該音楽ディジタルデータを使用者が購入する場合には，レンタルが数年に相当する日数に及ぶことはほとんど考えられないので，レンタル日数に割り当てたデータの最大値を，無期限として上記データ再生装置Ｐに判断させるようにする。これにより，レンタルの場合と，購入の場合とで同じデータ形式を用いることができる。
また，当該半導体メディアＭをフォーマットしたデータ再生装置Ｐのプログラムメモリ１３に使用者が指定したサンプリング周波数の圧縮符号化形式に対応した再生プログラムが記録されていないと上記マイコン２１により判別された場合には，使用者により指定された音楽ディジタルデータの他，対応する再生プログラムも，上記半導体メディアＭに記録される。このとき，必要に応じて当該半導体メディアＭに記憶されている装置情報の保有する再生プログラムが書き換えられる。
尚，上記再生プログラム自体も上記必要情報に含まれるものである。また，上記マイコン２１による上記再生プログラム等の判別処理が，本発明におけるデータ供給装置の必要情報判別手段に対応し，判別された上記必要情報を上記半導体メディアＭに記録する上記マイコン２１による記録処理が，本発明におけるデータ供給装置の記録手段に対応する。
【００２３】
ところで，上記半導体メディアＭがフラッシュメモリによるものである場合には，上記半導体メディアＭに記録されたデータを消去する場合にはブロック消去が行われることになる。このため，上記音楽ディジタルデータが複数の曲のデータを含む場合には，各曲のデータの先頭をブロックの先頭に設定するのが好ましい。
但し，このように各曲のデータの先頭をブロックの先頭に設定すると，各ブロックの後方には，データが記録されない領域が生じることになる。この領域は，一曲分の音楽ディジタルデータを記録するほど大きくないが，未使用のまま残されるため，全体として上記半導体メディアＭの記録容量を無駄にすることになる。
そこで，本発明に係る上記データ供給装置Ｓでは，上記音楽ディジタルデータや保有する再生プログラム等を上記半導体メディアＭに記録する場合に，その記録構造上，データが記録されない未使用領域が発生する場合には，その未使用領域に使用者に宛てたメッセージ情報が記録される。
即ち，上記マイコン２１では，上記音楽ディジタルデータが，上記半導体メディアＭのブロックに応じて分割され記憶されるが，このときの分割された各データの量と，各ブロックの大きさが比較され，両者の差から各ブロックの未使用領域の容量が検出される。上記マイコン２１では，上記検出された未使用領域の容量に応じた上記メッセージ情報が選択され，上記未使用領域に上記メッセージ情報が記録される。
上記メッセージ情報の例としては，使用者が指定した音楽ディジタルデータと同じ演奏者の他のデータに関する文字情報や，そのときに人気のある音楽ディジタルデータのランキング情報，上記データ供給装置Ｓによって新しく供給される音楽ディジタルデータに関する情報，その他，宣伝情報，公共情報，観光情報，交通情報，その販売機が設置された地域の情報などが挙げられる。これらのメッセージ情報は，上記音楽ディジタルデータが記録されている蓄積手段２３に記録しておいてもよいし，他の記録手段に別個に記録するようにしてもよい。また，付加するメッセージ情報のジャンル等も上記ＬＣＤ２４に表示するようにして，使用者に上記メッセージ情報のジャンル等を選択させるようにしてもよい。
尚，上記マイコン２１による各データと未使用領域の比較による空き領域検出処理が，本発明におけるデータ供給装置の空き領域検出手段に対応する。
また，上記検出された空き領域に基づいて，上記マイコン２１が上記メッセージ情報を上記未使用領域に記録させる処理が，本発明におけるデータ供給装置のメッセージ情報付加手段に対応する。
【００２４】
上記のようにして半導体メディアＭに記録された音楽ディジタルデータは，使用者が半導体メディアＭを移動して上記データ再生装置Ｐに装着することにより，上記データ再生装置Ｐにより再生される（Ｓ６０３）。上記データ再生装置Ｐによる再生処理も，使用者によるボタン押圧により開始される他，上記半導体メディアＭの装着に応じて自動的に行わせることが可能である。
上記データ再生装置Ｐにおいて，上記半導体メディアＭをフォーマットする場合と同様に，上記半導体メディアＭの挿入が検知され，マイコン１１が起動されると，上記マイコン１１により，当該半導体メディアＭに音楽ディジタルデータが記録されているか否かが判別される。
当該半導体メディアＭに音楽ディジタルデータが記録されている場合には，上記マイコン１１により，上記データ再生装置Ｐ内で保有されている秘密鍵を用いて，公開鍵により施錠された状態で上記半導体メディアＭに記録された音楽ディジタルデータ等が解読される（Ｓ６０４）。
上記秘密鍵により上記音楽ディジタルデータ等が解読されると，上記半導体メディアＭに記録されている上記装置情報のＩＤが参照され，当該データ再生装置ＰのＩＤと一致しているか否かが確認される（Ｓ６０５）。
上記半導体メディアＭに記録されている上記装置情報のＩＤと，当該データ再生装置ＰのＩＤとが一致している場合には，さらに上記再生に必要な情報に含まれるデータの利用期間などの条件が必要に応じて参照された上で，その利用期間などの条件が満足されていれば，上記データ再生装置Ｐによる再生処理が許可される（Ｓ６０６）。
一方，上記半導体メディアＭに記録されている上記装置情報のＩＤと，当該データ再生装置ＰのＩＤとが一致していない場合には，上記データ再生装置Ｐによる再生処理が許可されず，例えばその旨が上記データ再生装置ＰのＬＣＤ１９に表示される（Ｓ６０７）。即ち，上記半導体メディアＭに記録された音楽ディジタルデータの再生は，当該データ再生装置Ｐにのみ許可され，他のデータ再生装置Ｐに上記半導体メディアＭが装着されても，許可されない。
【００２５】
上記データ再生装置のマイコンが起動し上記再生処理の許可があった後の上記データ再生装置の動作例を図７のフローチャートに示す。
図７に示す如く，上記再生処理の許可があると，上記マイコン１１により，上記半導体メディアＭに，上記プログラムメモリ１３に記録されている再生プログラムと異なる再生プログラムがあるか否かが探索される（Ｓ７０１）。
上記の探索は，例えば上記半導体メディアＭに記録されている再生プログラムと上記プログラムメモリ１３に記録されている再生プログラムとを比較したり，上記データ供給装置Ｓによって，上記半導体メディアＭに記録されている装置情報の再生プログラムの種類が書き換えられている場合には，それを参照することにより行うことが可能である。
上記半導体メディアＭに記録されている再生プログラムと上記プログラムメモリ１３に記録されている再生プログラムとを直接比較する場合，上記プログラムメモリ１３に記録されている再生プログラムを予め上記半導体メディアＭにも記録させておく必要が生じるが，上記プログラムメモリ１３から比較のために上記半導体メディアＭに転送される再生プログラムは，単に比較のために用いられ，上記音楽ディジタルデータの再生には実際には供されないので，上記半導体メディアＭの容量を無駄に使用することになる。このため，上記プログラムメモリ１３に既に記録されている再生プログラムについては再生プログラムの実体を上記半導体メディアＭに転送せず，ダミーの情報のみを転送することにより，上記半導体メディアＭの容量を節約することができる。この場合，使用者が複数の半導体メディアＭを使用していると，半導体メディアＭの上記データ再生装置Ｐへの装着の順序の違いにより，存在できない再生プログラムも発生することになるから，これについては，再生プログラムの実態が無いことを検出し，使用者に知らせ，マニュアルで，これを有するカードを装着させることで対応可能である。
【００２６】
上記半導体メディアＭに，上記プログラムメモリ１３に記録されているのとは異なる再生プログラムが記録されていると上記マイコン１１により判別が行われた場合には，当該再生プログラムの容量と上記プログラムメモリ１３の空き容量が比較される。
当該再生プログラムの容量が上記プログラムメモリ１３の空き容量より小さい場合には，当該再生プログラムが上記半導体メディアＭから上記プログラムメモリ１３に転送される。また，上記半導体メディアＭに記録されている装置情報の再生プログラムの種類を参照して，上記探索が行われた場合には，上記転送された再生プログラムに対応して，上記プログラムメモリ１３に記録されている再生プログラムの種類の情報が書き換えられる。
一方，当該再生プログラムの容量が上記プログラムメモリ１３の空き容量より大きい場合には，当該再生プログラムの容量に応じた空き容量を確保するために，上記プログラムメモリ１３に既に記録されていた再生プログラムの全部又は一部が上記プログラムメモリ１３から削除される（Ｓ７０２）。
このプログラムメモリ１３から削除される再生プログラムの選択は，例えば各再生プログラムの使用頻度に応じて定められるプライオリティに基づいて行われる。
プライオリティの低い再生プログラムが，上記プログラムメモリ１３から削除され上記プログラムメモリ１３の空き容量が確保されると，上記半導体メディアＭに記録されていた再生プログラムが上記プログラムメモリ１３に転送される（Ｓ７０３）。
そして，このような再生プログラムの転送処理が，上記半導体メディアＭに記録されている異なる再生プログラムが無くなるまで繰り返される。
尚，上記半導体メディアＭに記録されている再生プログラムの探索から始まる上記再生プログラムの上記プログラムメモリ１３への転送処理は，必ずしも必要がない場合もある。例えば上記半導体メディアＭが装着されたままの状態で，上記データ再生装置Ｐの電源がオフされた場合などでは，使用者がスイッチ１８等を用いたことによるスイッチ入力をもとに上記マイコン１１に電源が供給されることになるが，上記図５に示した回路構成では，電源供給が装着によるものかスイッチ入力によるものかが判別可能であるから，上記スイッチ入力によるものの場合には，上記再生プログラムの転送処理を省略するようにしてもよい。これにより，起動時の処理を軽減し処理時間の短縮化，省電力化を図ることができる。
また，上記のようにして上記半導体メディアＭに記録されている再生プログラムを探索したり，公開鍵や音楽ディジタルデータの利用期間，他の装置情報を参照する処理は，上記マイコン１１の制御によって行われるが，この上記マイコン１１によって実現される機能が，本発明における必要情報取得手段に相当する。
さらに，上記再生プログラムの探索の結果，上記再生プログラムを上記半導体メディアＭから上記プログラムメモリ１３に転送したり，上記必要情報に基づく他の再生に必要な環境を整える処理が，本発明における自動設定手段に相当する。
【００２７】
そして，上記半導体メディアＭに供給された新しい音楽ディジタルデータを再生する場合に必要な，再生プログラムが上記プログラムメモリ１３に転送されると，自動的に又は使用者のボタン押圧などの指示により，上記音楽ディジタルデータの再生処理が行われる。
即ち，上記半導体メディアＭに記録されていた音楽ディジタルデータが，コネクタ１２を介して，マイコン１１により読み出されると，それに応じた再生プログラムがマイコン１１の制御に従ってＤＳＰ１４に読み出され，そのＤＳＰ１４に音楽ディジタルデータが適時供給される。再生プログラムの選択は，マイコン１１が上記半導体メディアＭから当該音楽ディジタルデータの圧縮符号化方式を参照することにより自動的に行われるため，再生時に使用者が必要な作業が軽減される。もちろん，圧縮符号化方式が同じであってサンプリング周波数が異なる場合などでは，使用者が選択可能なように上記ＬＣＤ１９に利用可能な再生プログラムを表示して，使用者に選択させるようにしてもよいし，マイコン１１が自己のリソースを判断して適当なものを選択するようにしてもよい。そして，上記ＤＳＰ１４では，上記読み出された再生プログラムを用いて上記音楽ディジタルデータの復号化処理が行われる。上記ＤＳＰ１４により復号化された音楽ディジタルデータは，ＤＡＣ１５に供給され，アナログ電気信号に変換される。前記アナログ電気信号は，アンプ１６により増幅された後，イヤホン１７やスピーカ等の電気音響変換器に供給される。そして，イヤホン１７によって音響信号に変換され，音楽として使用者の耳に出力される。
また，上記再生処理に合わせて，又は独立して上記半導体メディアＭに記録されているメッセージ情報も上記マイコン１１に読み出される。上記マイコン１１に読み出された上記メッセージ情報は，上記マイコン１１の制御に従って，上記ＬＣＤ１９に表示されたり，上記ＤＳＰ１４により音声に変換され，上記ＤＡＣ１５，アンプ１６，イヤホン１７を介して音声として出力される。
【００２８】
このように，本発明の一実施の形態に係るデータ再生装置，データ供給装置，及びデータ供給システムによれば，音楽ディジタルデータを半導体メディアを介してデータ供給装置からデータ再生装置に供給する場合に，まず上記データ再生装置側で当該装置に関する装置情報が上記半導体メディアに記録され，次に上記データ供給装置側で当該半導体メディアに記録されている装置情報が検知され，続いて上記検知された装置情報に基づいて，使用者により指定された音楽ディジタルデータを当該データ再生装置上で再生するのに必要な必要情報が判別された後，上記判別された必要情報が上記音楽ディジタルデータとともに当該半導体メディアに記録され，次に上記データ再生装置において，当該半導体メディアに記録された必要情報が取得され，上記取得された必要情報に基づいて，上記音楽ディジタルデータを再生するのに必要が環境が自動的に設定されるため，使用者が，圧縮符号化方式や不正複写防止のための暗号等を強く意識することなく上記音楽ディジタルデータの供給を受けることができる，安価に利用可能なデータ再生装置，データ供給装置，及びデータ供給システムを提供することができる。さらに，上記データ供給装置において，予め上記半導体メディアに記録された装置情報に含まれる再生プログラムの種類に基づいて，再生に必要な再生プログラムの追加記録の有無が判別され，上記データ再生装置において，再生プログラムの使用頻度などのプライオリティに基づいて上記追加記録された再生プログラムがプログラムメモリに転送されるため，上記プログラムメモリの容量が大きくない場合でも，様々な圧縮符号化方式に対応した再生処理を行うことが可能となる。
尚，上記の実施の形態では，ディジタルデータの一例として，音楽ディジタルデータを扱ったが，これに限られるものではなく，映像のディジタル信号や文字データを再生したり，供給したりするデータ再生装置，データ供給装置，データ供給システムに本発明を適用することも可能である。
また，上記実施の形態では，半導体メディアＭの装着が検知可能な回路として，スイッチ入力と装着との判別も可能な図４の回路を例に挙げたが，これに限られるものではなく，例えば装着検知のみの図８のような回路を用いて，構成を簡素化するようにしてもよい。
図８の回路も，上記半導体メディアＭの挿入検知についてはほぼ同様の構成である。即ち，図８の回路においても，上記半導体メディアＭが挿入されていないときには，上記スイッチＳｗ１は開いている。このとき，図８に示すＡ点の電位は，図５に示す如く，バッテリ電圧Ｖbat である。上記半導体メディアＭが挿入されると，上記スイッチＳｗ１は閉じられる。上記スイッチＳｗ１が閉じられると，一旦上記Ａ点の電位は急激に低下する。低下した上記Ａ点の電位は，コンデンサＣ１が充電されるに連れて徐々に上昇し，やがて上記バッテリ電圧Ｖbat が抵抗Ｒ１と抵抗Ｒ２にて分圧された値に達する。このように一旦電位を急激に低下させることにより形成されたパルスは，ＲＳラッチ４２に供給され，上記ＲＳラッチ４２がセットされる。上記ＲＳラッチ４２がセットされると，電源変換器４３に作動指令が送出される。これにより，回路全体への電源供給が開始され，上記マイコン１１にも電圧Ｖccの電源が供給される。
【００２９】
【発明の効果】
以上説明した通り，上記請求項１〜６のいずれか１項に記載のデータ再生装置によれば，例えば音楽データや文字データなどのディジタルデータを記録するための半導体メディアなどの記録媒体に，予め当該装置の固有情報や，保持されている再生プログラムの種類等を含む装置情報が書き込まれ，実際に上記ディジタルデータを再生するときには，上記記録媒体にディジタルデータが供給される際に上記装置情報に基づいて定められた必要情報が取得され，取得された装置情報に基づいて上記ディジタルデータを再生するのに必要な環境が自動的に設定されるため，利用者が圧縮符号化方式や不正複写防止のための暗号等を強く意識することなく上記ディジタルデータを再生することができる安価なデータ再生装置を提供することができる。
また，上記請求項７〜１１のいずれか１項に記載のデータ供給装置によれば，例えば音楽データや文字データなどのディジタルデータを半導体メディアなどの記録媒体に記録する場合に，当該記録媒体に予め記録されているデータ再生装置に関する装置情報が検知され，前記検知された装置情報に基づいて，使用者により指定されたディジタルデータを当該データ再生装置上で再生するのに必要な必要情報が判別され，上記判別された必要情報が上記ディジタルデータとともに当該記録媒体に記録されるため，使用者が，圧縮符号化方式や不正複写防止のための暗号等を強く意識することなく上記ディジタルデータの供給を受けることができるデータ供給装置を提供することができる。
また，上記請求項１２〜１９のいずれか１項に記載のデータ供給装置によれば，例えば音楽データや文字データなどのディジタルデータを半導体メディアなどの記録媒体を介してデータ供給装置からデータ再生装置に供給する場合に，まず上記データ再生装置側で当該装置に関する装置情報が上記記録媒体に記録され，次に上記データ供給装置側で当該記録媒体に記録されている装置情報が検知され，続いて上記検知された装置情報に基づいて，使用者により指定されたディジタルデータを当該データ再生装置上で再生するのに必要な必要情報が判別された後，上記判別された必要情報が上記ディジタルデータとともに当該記録媒体に記録され，次に上記データ再生装置において，当該記録媒体に記録された必要情報が取得され，上記取得された必要情報に基づいて，上記ディジタルデータを再生するのに必要が環境が自動的に設定されるため，使用者が，圧縮符号化方式や不正複写防止のための暗号等を強く意識することなく上記ディジタルデータの供給を受けることが可能で，安価に利用可能なデータ供給システムを提供することができる。
【図面の簡単な説明】
【図１】  本発明の一実施の形態に係るデータ再生装置の概略構成を示す機能ブロック図。
【図２】  本発明の一実施の形態に係るデータ供給装置の概略装置を示す機能ブロック図。
【図３】  半導体メディアの挿入検知を行う機構を説明するための図。
【図４】  半導体メディアの挿入検知を行うための判別回路。
【図５】  上記判別回路における所定の点の電位変化の様子を説明するための図。
【図６】  上記データ供給装置から上記データ再生装置に半導体メディアを介してディジタルデータを供給する際の流れを簡単に説明するフローチャート。
【図７】  上記データ再生装置において，上記半導体メディアから再生プログラムをプログラムメモリに転送する場合の動作を説明するためのフローチャート。
【図８】  上記判別回路の他例を示す図。
【符号の説明】
１１，２１…マイコン
１２，２２…コネクタ
１３…プログラムメモリ
１４…ＤＳＰ
１８，２５…スイッチ
１９，２４…ＬＣＤ
２３…蓄積手段
Ｐ…データ再生装置
Ｓ…データ供給装置
Ｍ…半導体メディア
【図１】
0003751163.tif 000002
【図２】
0003751163.tif 000003
【図３】
0003751163.tif 000004
【図４】
0003751163.tif 000005
【図５】
0003751163.tif 000006
【図６】
0003751163.tif 000007
【図７】
0003751163.tif 000008
【図８】
0003751163.tif 000009